(57)【要約】蒸気の凝縮を促すために、蒸気を含む気体の流れを冷却する凝縮器（１０）は、ほぼ円筒状のチャンバを備える。気体はチャンバの一端から入り、渦流速度成分が与えられる。気体は次にチャンバの長手に沿って軸方向に移動し、穴（５５、５７）を介して半径方向に通って分離器の内径部に入る。気体の流れの渦流速度は水滴を半径方向外方に移動させる傾向にあり、そこで水滴はチャンバを画定するケーシングの内側を流れ落ちる。分離器は、水回収コンパートメントから主チャンバ（４０）を分離するスカート部分（５２）を含むことができる。凝縮を生じる冷却は外部ジャケット（１１０）によって提供され、冷却剤がその中を螺旋状に流れることが好ましい。
2005524518.tif 000002
【特許請求の範囲】
【請求項１】
気体の流れに含まれる蒸気を冷却するための凝縮器であって、
軸を中心にほぼ円形の断面を有し、該軸がほぼ垂直になるように取り付けられたチャンバと、
前記チャンバの一端部に通じ、前記チャンバの該一端部に気体を供給する気体入口と、前記チャンバに通じ、前記チャンバから気体を排出する気体出口と、
前記チャンバの前記一端に隣接して取り付けられた前記気体入口を介して前記チャンバに供給される前記気体の流れに渦流速度成分を付与する手段であって、気体が前記チャンバの前記一端から他端に流れるように構成された、該手段と、
前記チャンバから熱を除去して前記蒸気の凝縮を促すように前記チャンバを冷却する手段と、
を含み、
前記気体の流れに渦流速度成分を付与する前記手段が、前記気体入口に隣接した弧状の気体コンパートメント及び偏流羽根のうち少なくとも１つを含む、
凝縮器。
【請求項２】
前記弧状コンパートメント及び前記偏流羽根の双方を含む、請求項１に記載の凝縮器。
【請求項３】
前記渦流成分付与手段が少なくとも前記弧状の気体コンパートメントを含み、前記凝縮器が、共に前記チャンバを画定するケーシング及び頭部を含み、前記気体入口、前記気体出口及び前記弧状チャンバが該頭部に設けられ、該頭部は前記チャンバの前記一端にある、請求項１に記載の凝縮器。
【請求項４】
前記渦流成分付与手段が前記偏流羽根を含み、前記偏流羽根はほぼ円形で半径方向外方に延びる複数の羽根を含み、前記偏流羽根は、前記羽根が前記ケーシングの内側に近い位置まで延びるように前記チャンバの前記軸に取り付けられ、前記羽根は、前記羽根を通過する前記気体の流れの渦流成分を付与するように傾斜されている、請求項２又は請求項３に記載の凝縮器。
【請求項５】
前記頭部が前記チャンバ上の上端部に設けられており、前記気体から凝縮した液体を分離する分離器が設けられている、請求項１又は請求項３に記載の凝縮器。
【請求項６】
前記分離器が、前記チャンバの前記他端から前記一端に向かって前記チャンバの前記軸に沿って延び、前記気体出口と通じる内径部を含むほぼ円筒状の部分を含み、これにより前記チャンバがほぼ環状になって前記ケーシングと前記分離器との間に画定され、前記分離器は、気体が前記チャンバから前記分離器の該内径部に流れ込み、前記気体出口を介して排出されることを許容する開口を含む、請求項５に記載の凝縮器。
【請求項７】
前記分離器が、前記チャンバの前記他端に隣接した端部にスカート部分を更に含み、これによって水回収コンパートメントを前記チャンバから区分する、請求項６に記載の凝縮器。
【請求項８】
前記チャンバの外側の周りにほぼ環状の冷却ジャケットを含む、請求項７に記載の凝縮器。
【請求項９】
前記冷却ジャケットが、前記冷却ジャケットを介して延びる少なくとも１つの螺旋状チャンネルを画定する少なくとも１つの螺旋状リブを含む、請求項８に記載の凝縮器。
【請求項１０】
前記冷却ジャケットが、前記チャンバの前記他端に隣接した冷却剤入口と、前記チャンバの前記一端に隣接した冷却剤出口とを含む、請求項９に記載の凝縮器。
【請求項１１】
前記偏流羽根を含み、前記偏流羽根が前記分離器に取り付けられており、前記分離器が前記頭部に固定されている、請求項１０に記載の凝縮器。
【請求項１２】
前記水回収コンパートメント用の水出口と、前記水回収コンパートメント内の水位を制御するために前記水回収コンパートメント内の水位を検出する手段とを含む、請求項１１に記載の凝縮器。
【請求項１３】
蒸気の凝縮を促すために、該蒸気を含む気体の流れを冷却する方法であって、
（１）ほぼ円形の断面を有するチャンバに湿気を含む気体を供給し、渦流速度成分を前記気体の流れに付与し、前記気体が前記渦流成分を有する螺旋状経路で前記チャンバの一端から他端まで軸方向に流れるようにするステップと、
（２）前記チャンバを冷却して前記気体から熱を取り、前記蒸気の凝縮を促すステップと、
（３）前記チャンバをほぼ垂直に取り付け、これにより凝縮した蒸気が前記チャンバの内側を垂直に流れ落ちるステップと、
（４）前記蒸気の減少した気体を前記チャンバの前記軸に沿って排出するステップと、
を含む、方法。
【請求項１４】
前記チャンバの前記一端に設けられた気体出口を介して気体を排出することを含む、請求項１３に記載の方法。
【請求項１５】
内径部を含む分離器を提供することと、前記ステップ（４）において、前記チャンバの前記他端から該内径部に沿って前記気体出口に気体を排出することを含む、請求項１４に記載の方法。
【請求項１６】
前記分離器に複数の通り穴を設けることと、気体を該通り穴に通して前記分離器の前記内径部に流すことを含む、請求項１５に記載の方法。
【請求項１７】
弧状のコンパートメントを介して前記気体を通し、供給すること、及び
偏流羽根を介して前記気体を通すこと、
のうち少なくとも１つによって前記渦流速度成分を前記気体の流れに付与することを含む、請求項１６に記載の方法。
【請求項１８】
前記チャンバの外側の周りで、前記軸方向の気体の流れ方向に対して向流になるように冷却剤を通すことによって前記チャンバを冷却する、請求項１７に記載の方法。
【請求項１９】
気体の流れに含まれる蒸気を冷却するための凝縮器であって、
軸を中心にほぼ円形の断面を有し、該軸がほぼ垂直になるように取り付けられたチャンバと、
前記チャンバの上方の一端部に通じ、前記チャンバの該一端部に気体を供給する気体入口と、前記チャンバに通じ、前記チャンバから気体を排出する気体出口と、
前記チャンバの前記一端に隣接して取り付けられた前記気体入口を介して前記チャンバに供給される前記気体の流れに渦流速度成分を付与する手段であって、気体が前記チャンバの前記一端から他端に流れるように構成された、該手段と、
前記チャンバから熱を除去して前記蒸気の凝縮を促すように前記チャンバを冷却する手段と、
を含み、
前記チャンバにより、凝縮液が妨害されることなく前記チャンバの下端部に向かって下方に移動する、
凝縮器。
【請求項２０】
渦流速度成分を前記気体の流れに付与する前記手段が、前記気体入口に隣接する弧状の気体コンパートメント及び偏流羽根のうち少なくとも１つを含む、請求項１９に記載の凝縮器。
【請求項２１】
前記弧状の気体コンパートメント及び前記偏流羽根の双方を含み、前記凝縮器が、共に前記チャンバを画定するケーシング及び頭部を含み、前記気体入口、前記気体出口及び前記弧状チャンバが該頭部に設けられ、該頭部は前記チャンバの前記一端にある、請求項２０に記載の凝縮器。
【請求項２２】
凝縮した液体を前記気体から分離する分離器が設けられる、請求項１９に記載の凝縮器。
【請求項２３】
前記チャンバがケーシングによって画定されており、前記分離器が、前記チャンバの前記他端から前記一端に向かって前記チャンバの前記軸に沿って延び、前記気体出口と通じる内径部を含むほぼ円筒状の部分を含み、前記チャンバはほぼ環状で妨げるものを有さず、前記ケーシングと前記分離器との間に画定され、前記分離器は、気体が前記チャンバから前記分離器の該内径部に流れ込み、前記気体出口を介して排出されることを許容する開口を含み、使用の際、前記気体に付与された前記渦流速度成分が前記ケーシングに向かう水滴の分離を促す、請求項２２に記載の凝縮器。
【請求項２４】
前記分離器が、前記チャンバの前記他端に隣接した端部にスカート部分を更に含み、これによって水回収コンパートメントを前記チャンバから区分する、請求項２３に記載の凝縮器。
【請求項２５】
前記チャンバの外側の周りにほぼ環状の冷却ジャケットを含む、請求項２３に記載の凝縮器。
【請求項２６】
前記冷却ジャケットが、前記冷却ジャケットを介して延びる少なくとも１つの螺旋状チャンネルを画定する少なくとも１つの螺旋状リブを含む、請求項２５に記載の凝縮器。
【発明の詳細な説明】
【技術分野】
【０００１】
本発明は概して凝縮器に関する。より詳細には、本発明は気体を除湿するための凝縮器に関する。
【背景技術】
【０００２】
家庭内及び産業上の用途において、気体の流れから水を凝縮するために使用される種々のデバイスがある。公知の凝縮器の例として、チューブ及びシェル型熱交換器、プレート型熱交換器などが挙げられる。
【０００３】
１つの公知のタイプの凝縮器は、筺体の中に配置されたチューブの束を用いている。一般に、筺体は概して気体入口及び気体出口を備えた中空の円筒体を有する。湿度の高い気体が筺体のチャンバを介して流れ、チューブの表面と接触する。冷却剤がチューブを介して流れる一方、湿気の多い気体はチューブの外側表面の上を流れ、冷却剤によって熱を間接的に交換する。湿気の多い気体から水が凝縮され、チューブの表面に付着する。冷却剤及び気体は「並流」として知られるほぼ同一の方向に流れてもよいし、「向流」として知られる反対の方向に流れてもよい。
【０００４】
これらの凝縮器には変形物がある。その中には、チューブの束が垂直に配置されるものもあれば、チューブが水平なものもある。熱交換領域を拡大するために、チューブを湾曲形状（Ｕ型又は蛇行状）にしてもよい。また、チューブをコイル状又は螺旋状にしてもよい。しかし、流路及び気体と冷却剤との間の接触領域を拡大するためには、装置を大きくする必要がある。表面と気体との間の熱交換率は気体及び冷却剤の流量に依存する。より良い熱交換の結果を得るには流量を十分に多くする必要があり、これによってポンプや圧縮機などの補助装置に影響を与えたり、これらの補助装置が必要になる場合がある。このことによってシステム効率が大幅に下がる。よって、これらの変形物は全て嵩高で、熱交換率が低くなる傾向にある。
【発明の開示】
【発明が解決しようとする課題】
【０００５】
従って、冷却剤及び除湿される気体の流量を比較的小さくして動作することのできるコンパクトで効率的な凝縮器が依然として必要である。
【課題を解決するための手段】
【０００６】
本発明に従って、気体の流れに含まれる蒸気を冷却するための凝縮器が提供される。  この凝縮器は、軸を中心にほぼ円形の断面を有し、該軸がほぼ垂直になるように取り付けられたチャンバと、前記チャンバの一端部に通じ、前記チャンバの該一端部に気体を供給する気体入口と、前記チャンバに通じ、前記チャンバから気体を排出する気体出口と、前記チャンバの前記一端に隣接して取り付けられた前記気体入口を介して前記チャンバに供給される前記気体の流れに渦流速度成分を付与する手段であって、気体が前記チャンバの前記一端から他端に流れるように構成された、該手段と、前記チャンバから熱を除去して前記蒸気の凝縮を促すように前記チャンバを冷却する手段と、を含み、前記気体の流れに渦流速度成分を付与する前記手段が、前記気体入口に隣接した弧状の気体コンパートメント及び偏流羽根のうち少なくとも１つを含む。
【０００７】
本発明の更なる態様に従って、気体の流れに含まれる蒸気を冷却するための凝縮器が提供される。この凝縮器は、軸を中心にほぼ円形の断面を有し、該軸がほぼ垂直になるように取り付けられたチャンバと、前記チャンバの上方の一端部に通じ、前記チャンバの該一端部に気体を供給する気体入口と、前記チャンバに通じ、前記チャンバから気体を排出する気体出口と、前記チャンバの前記一端に隣接して取り付けられた前記気体入口を介して前記チャンバに供給される前記気体の流れに渦流速度成分を付与する手段であって、気体が前記チャンバの前記一端から他端に流れるように構成された、該手段と、前記チャンバから熱を除去して前記蒸気の凝縮を促すように前記チャンバを冷却する手段と、を含み、前記チャンバにより、凝縮液が妨害されることなく前記チャンバの下端部に向かって下方に移動する。
【０００８】
本発明の他の態様は、蒸気の凝縮を促すために蒸気を含む気体の流れを冷却する方法である。この方法は、ほぼ円形の断面を有するチャンバに湿気を含む気体を供給し、渦流速度成分を前記気体の流れに付与し、前記気体が前記渦流成分を有する螺旋状経路で前記チャンバの一端から他端まで軸方向に流れるようにするステップと、前記チャンバを冷却して前記気体から熱を取り、前記蒸気の凝縮を促すステップと、前記チャンバをほぼ垂直に取り付け、これにより凝縮した蒸気が前記チャンバの内側を垂直に流れ落ちるステップと、前記蒸気の減少した気体を前記チャンバの前記軸に沿って排出するステップと、を含む。
【０００９】
本発明は、コンパクトで効率的な凝縮器を提供する。弧状のチャンバや偏流羽根のデザインにより気体の流れに対する撹乱を大きくし、よって熱交換率を高める。冷却剤の螺旋状の流路によって気体と冷却剤との間に十分な熱交換が生じ、気体からの水の分離効率が高くなる。
【発明を実施するための最良の形態】
【００１０】
本発明をより良く理解し、実施の態様をより明らかに示すために、本発明の好適な実施の形態を例として示す添付の図面を参照する。
【００１１】
本発明の特徴及び利点は、下記の好適な実施の形態の詳細な説明に照らして更に明らかになるであろう。
【００１２】
図１乃至図４は、本発明の凝縮器１０を示している。以下、冷却剤として水を用いて空気を除湿する用途において本発明を説明する。しかし、本発明を用いて他の気体又は流体を除湿して熱交換を行ってもよく、水以外の冷却剤を用いてもよいことを理解されたい。
【００１３】
本発明の凝縮器１０は、概してケーシング２０及び頭部３０からなる。動作としては、凝縮器１０はほぼ垂直な位置で配置され、頭部３０はケーシング２０の上部に位置する。図１に示すように、凝縮器１０のケーシング２０の形状はほぼ円筒状であり、外部ケーシング８０と、チャンバ４０を画定する内部ケーシング９０とを含む（図３及び図４を参照）。内部ケーシング９０及び外部ケーシング８０は同軸の関係で配置されており、その間に環状空間１００を画定する。内部ケーシング９０及び外部ケーシング８０は、上端部及び下端部で互いに溶接されている。外部ケーシング８０には、ケーシング２０の軸に対して垂直に配置された冷却剤入口２２及び冷却剤出口２４が備えられている。冷却剤入口２２はケーシング２０の底部に隣接して配置され、冷却剤出口２４は頭部３０に隣接して配置されている。ケーシング２０の下端部はキャップ２８によって閉じられている。気体から凝縮した水をチャンバ４０から排出するために、排水口２６がキャップ２８に設けられている。
【００１４】
凝縮器１０の頭部３０は、半円形部分３６と横方向延出部分３８とを含む。気体入口３２及び気体出口３４が、横方向延出部分３８の端壁３５に設けられている。分離器５０（図８及び図９）及び偏流羽根６０（図１０及び図１１）が、ケーシング２０のチャンバ４０内に配置されている。偏流羽根６０は、気体が所望のフローパターンでチャンバ４０内に分配されることを容易にする。分離器５０により、除湿された気体はチャンバ４０から流れ出すことができ、分離器５０は凝縮した水と気体を分離する。ケーシング２０、頭部３０、分離器５０及び偏流羽根６０の組立を以下により詳細に説明する。
【００１５】
ここで、凝縮器１０の頭部３０を示す図５乃至図７を参照する。頭部３０の底面７１には円形の開放端７０がある。円形の開放端７０のエッジの周りにはリム７２が設けられている。開放端の中央には、気体出口３４と流体連通した内径部（ｂｏｒｅ）７６が設けられている。内径部７６の側壁７４は内径部７６を開放端７０の残りの部分から隔て、弧状のコンパートメント（区画部）７８を形成している。内径部７６の端面７３及び側壁７４は、頭部３０の底面７１から退避したところにある。弧状コンパートメント７８は、気体入口３２と流体連通している。図４から最もよくわかるように、分離器５０との接続のために雌ねじ７７が内径部７６の下端部に隣接して設けられている。
【００１６】
図８及び図９は凝縮器１０の分離器５０を示している。分離器５０は形状がほぼ円筒状であり、下端部にスカート部分５２を備えている。分離器５０は、中央部分５１と、上端部に直径減少部分５６を有する。直径減少部分５６は中央部分５１と共に段５９を形成している。雄ねじ５３が直径減少部分５６の外壁に設けられている。雄ねじ５３の上端部は、頭部３０の内径部７６に形成された雌ねじ７７との接続に用いられ、よって分離器５０は頭部３０に取り付けられる。雄ねじ５３の残りの部分は、偏流羽根６０との接続に用いられる。
【００１７】
分離器５０は、直径減少部分５６の上端部から中央部分５１の下壁４９まで軸方向に延びる内径部（ｂｏｒｅ）５４を備える。この特定の実施の形態において、内径部５４は、直径減少部分５６の上端部から段５９にほぼ対応する軸方向の位置まで軸方向に延びる直径減少部分４４を有する。しかし、内径部５４はこのような直径減少部分４４を必ずしも有するわけではないことを理解されたい。
【００１８】
分離器５０の軸を横切る方向に延びる複数の通り穴が、分離器５０の中央部分５１の側壁に設けられている。この例では、６つの通り穴５５が、中央部分５１の側壁の周りで、中央部分５１の下端部に隣接した軸方向位置に均等に設けられている。また、４つの通り穴５７が、中央部分５１の側壁の周りで、中央部分５１の上端部に隣接した軸方向位置に均等に設けられている。これらの通り穴は、内径部５４、及び分離器５０の側壁の外側の空間と流体連通している。
【００１９】
スカート部分５２は、中央部分５１の下壁４９から半径方向外方及び下方に延びている。スカート部分５２の直径は内部ケーシング９０の内径よりもわずかに小さく、水がこれらの間を流れることができるようになっている。スカート部分５２は、凝縮した水の流れを促すように下方に傾斜している。凝縮した水が滴り落ちてスカート部分５２とキャップ２８との間に画定された水回収コンパートメント（区画部）５３内に入るのを更に促すように、複数の切欠き５８がスカート部分５２のエッジの周りに設けられている。よって、内部ケーシング９０は、主チャンバ４０及び水回収コンパートメント５３の双方を囲んでいる。
【００２０】
図３及び図４に示すように、偏流羽根６０が分離器５０の直径減少部分５６の周りに取り付けられている。偏流羽根６０は、図１０及び図１１においてより明瞭に示されている。偏流羽根６０は円錐台形部分６２を有する。複数の羽根６４が、円錐台形部分６２のより大きな端部の周りに設けられている。
【００２１】
羽根６４は、螺旋状に傾斜した間隙が隣接する羽根６４の間に形成されるように配置されている。間隙は、ほぼ同一の螺旋方向に傾斜されている。羽根６４の外径は、気体の流れ及び容易な組立を可能にするように、内部ケーシング９０の内径よりもわずかに小さい。偏流羽根６０はその中央に内径部（ｂｏｒｅ）６５を有する。内径部６５は偏流羽根６０の全長にわたって軸方向に延び、雌ねじ６６を有する。雌ねじ６６は、分離器５０の直径減少部分５６の雄ねじ５３と協働し、偏流羽根６０を分離器５０に接続する。偏流羽根６０が分離器５０に取り付けられると、図３及び図４からわかるように、偏流羽根６０の底面６８は分離器５０の段５９に当接し、上面６９は頭部３０の側壁７４の底面７３に当接する。よって、チャンバ４０は、偏流羽根６０、内部ケーシング９０、分離器５０及びスカート部分５２間に遮るもののない環状の空間を主に含み、気体は、気体の速度や方向に影響を及ぼすいかなる他の要素にもさらされずにこの空間を通って流れる。
【００２２】
ここで、凝縮器１０の外部ケーシング８０を示す図１２及び図１３を参照する。外部ケーシング８０は円筒状で、２つの開放端８８及び８９を備えている。側壁には、冷却剤入口８２が外部ケーシング８０の下端部に隣接して設けられており、冷却剤出口８４がその上端部に隣接して設けられている。外部ケーシング８０の上部エッジには直径減少部分８３が設けられており、直径減少部分８３は組立の際に頭部３０のリム７２内に嵌まる。組立の際、結合されたリム７２及び直径減少部分８３は互いに溶接され、除湿される気体が頭部３０とケーシング２０との間で漏れるのを防ぐ。
【００２３】
リブ８６が外部ケーシング８０の内壁に設けられている。リブ８６は冷却剤入口８２から始まって外部ケーシング８０の内壁の周りを螺旋状に上方へ延び、外部ケーシング８０の上端部に隣接する位置で終わる。内部ケーシング９０及び外部ケーシング８０が互いに溶接される際にリブ８６が内部ケーシング９０の外壁に実質上当接するように、螺旋状リブ８６は外部ケーシング８０から突出しており、これにより、図３及び図４に示すように、内部ケーシング９０と外部ケーシング８０との間の環状空間１００は分離されて１つの連続した螺旋状チャンネル１１０になる。外部ケーシング８０の下端部８８には、キャップ２８と接続するための雌ねじ８５が設けられている。内部ケーシング９０の形状はほぼ円筒状であることが図３及び図４からわかる。螺旋状リブ８６の傾度及びピッチ、よって螺旋状チャンネル１１０の傾度及びピッチを必要に応じて変更してもよく、１つよりも多くの螺旋状チャンネルを設けてもよいことを理解されたい。
【００２４】
引き続き図３及び図４を参照すると、キャップ２８はねじ結合によってケーシング２０の下端部を閉じる。これによってケーシング内にチャンバ４０が画定される。水位検出器４２をキャップ２８に取り付け、水回収コンパートメント５３内の凝縮した水の水位をモニターすることができる。凝縮した水が一定の水位に達すると、排水口２６が開かれてチャンバ４０から水が排出される。この排水は、手動か又は自動で行うことができる。
【００２５】
動作としては、除湿される気体が気体入口３２を通って凝縮器１０に流れ込む。気体入口３２から、気体は弧状チャンバ７８を通って流れる。気体の流れる方向が変わるため、気体の流れの撹乱即ち乱流が増す。更に、偏流羽根６０の羽根６４が、隣接する羽根６４の間の複数の間隙を除き、頭部３０の円形開放端７０を実質上閉じるため、気体は螺旋状に傾斜した複数の間隙を通ってチャンバ４０に流れ込む。よって、チャンバ４０に流れ込む気体に渦が形成され、即ち、かなりの渦流速度成分が気体の流れに付与される。気体は渦巻きパターンで下方に流れ、分離器５０周辺のチャンバ４０に入る。
【００２６】
これと同時に、通常は水である冷却剤がケーシング２０の底部付近の冷却剤入口２２から供給される。冷却剤入口２２から、冷却剤は内部ケーシング９０と外部ケーシング８０との間の環状空間１００に流れ込む。ここから、冷却剤は螺旋状チャンネル１１０に沿って上方に流れて環状空間１００を出、ケーシング２０の上端部に隣接する冷却剤出口２４から出る。即ち、冷却剤の流れは軸方向の向流である。
【００２７】
チャンバ４０において、気体は内部ケーシング９０の表面で冷却され、よって水が凝縮される。除湿された気体は次に複数の通り穴５５及び５７を通って分離器５０の内径部５４に入る。ここから、気体は分離器５０の内径部５４によって形成されたチャンネルと、頭部３０の内径部７６に沿って流れる。除湿された気体は次に気体出口３４を通って流れ、凝縮器１０から出る。気体の渦状の流れと冷却剤の螺旋状流路によって気体と冷却剤との間に十分な熱交換が生じ、気体からの水の分離効率が高くなる。また、この渦状の流れは気体の流れからの水滴の分離を促し、水滴が気体の半径方向内方の流れにのって通り穴５５及び５７に入ってしまうのを防ぐはずである。
【００２８】
凝縮された水は、内部ケーシング９０の内壁及び分離器５０のスカート部分５２に沿って下方に流れ、水回収コンパートメント５３の底部に流れ込む。前述のように、凝縮された水は一定の水位に達した際に排出される。
【００２９】
本発明は、本明細書に開示した実施の形態に限定されないことも理解されたい。当業者が、本発明の教示を学んだ後、本明細書に開示した実施の形態に対して種々の変更を行い得ることを予想することができる。例えば、システム内の構成要素の数及び配置を異なるようにしたり、同一の特定の機能を得るために異なる要素を用いたりすることができる。しかし、これらの変更は、請求の範囲において定義される本発明の保護範囲内に入るものとして考慮すべきである。
【図面の簡単な説明】
【００３０】
【図１】本発明に従った凝縮器を示す斜視図である。
【図２】本発明に従った凝縮器を示す立面図である。
【図３】本発明に従った凝縮器を示す、図２のラインＡ−Ａに沿った斜視断面図である。
【図４】本発明に従った凝縮器を示す、図２のラインＡ−Ａに沿った立面断面図である。
【図５】本発明に従った凝縮器の頭部を示す斜視図である。
【図６】本発明に従った凝縮器の頭部を示す、図５のラインＢ−Ｂに沿った平面断面図である。
【図７】本発明に従った凝縮器の頭部を示す、図６のラインＣ−Ｃに沿った斜視断面図である。
【図８】本発明に従った凝縮器の偏向器の斜視図である。
【図９】本発明に従った凝縮器の偏向器の長手方向断面図である。
【図１０】本発明に従った凝縮器の偏流羽根の斜視図である。
【図１１】本発明に従った凝縮器の偏流羽根の断面図である。
【図１２】本発明に従った凝縮器の外部ケーシングの斜視断面図である。
【図１３】本発明に従った凝縮器の外部ケーシングの長手方向断面図である。
【図１】
2005524518.tif 000003
【図２】
2005524518.tif 000004
【図３】
2005524518.tif 000005
【図４】
2005524518.tif 000006
【図５】
2005524518.tif 000007
【図６】
2005524518.tif 000008
【図７】
2005524518.tif 000009
【図８】
2005524518.tif 000010
【図９】
2005524518.tif 000011
【図１０】
2005524518.tif 000012
【図１１】
2005524518.tif 000013
【図１２】
2005524518.tif 000014
【図１３】
2005524518.tif 000015
【国際調査報告】
2005524518.tif 000016
2005524518.tif 000017
2005524518.tif 000018